(57)【要約】 【課題】ＬＥＤを駆動する回路の一部に故障が生じたような場合でも、全てのＬＥＤが消灯する可能性を低くし、かつ、回路の異常を未然に検知することができるようにしたＬＥＤ式信号灯器を提供する。【解決手段】商用電源Ｐを整流して信号用の灯光を発するＬＥＤ１２（発光ダイオード）に電力を供給するようにしたＬＥＤ式信号灯器１０であって、商用電源Ｐを整流する全波整流部３０と、少なくとも２以上の定電流部４０ａ，４０ｂとを備え、２以上の定電流部４０ａ，４０ｂは、全波整流部３０の出力を受け、ＬＥＤ１２へ並列的に電力を供給するものであり、２以上の定電流部４０ａ，４０ｂの出力をアンド回路に接続し、アンド回路の出力を警報手段７０に接続した。【選択図】図１
2005284690.tif 000002
【特許請求の範囲】
【請求項１】
商用電源を整流して信号用の灯光を発するＬＥＤ（発光ダイオード）に電力を供給するようにしたＬＥＤ式信号灯器であって、
商用電源を整流する全波整流部と、少なくとも２以上の定電流部とを備え、
前記２以上の定電流部は、前記全波整流部の出力を受け、前記ＬＥＤへ並列的に電力を供給するものであり、
前記２以上の定電流部の出力をアンド回路に接続し、各定電流部の出力を監視する警報手段に該アンド回路の出力を接続したことを特徴とするＬＥＤ式信号灯器。
【請求項２】
商用電源を整流して信号用の灯光を発するＬＥＤ（発光ダイオード）に電力を供給するようにしたＬＥＤ式信号灯器であって、
商用電源を整流する全波整流部と、少なくとも２以上の定電流部とを備え、
前記２以上の定電流部は、前記全波整流部の出力を受け、前記ＬＥＤへ並列的に電力を供給するものであり、
前記全波整流部の出力にアンド回路を構成する定電流部の動作を監視する複数のトランジスタを直列に警報手段と接続し、該複数のトランジスタの各ベースに前記２以上の定電流部の出力をそれぞれ接続したことを特徴とするＬＥＤ式信号灯器。
【発明の詳細な説明】
【技術分野】
【０００１】
本発明は、商用電源を整流して信号用の灯光を発するＬＥＤ（発光ダイオード）に電力を供給するようにしたＬＥＤ式信号灯器に関する。
【背景技術】
【０００２】
従来の技術としては、例えば特許文献１に示すようなものがある。  
すなわち、特許文献１の特開２００１−１４３８７９号公報には、商用電源を整流してから、安定化電源回路で安定化し、安定化した電圧をＬＥＤに供給するもので、サーミスタにより外温に応じてＬＥＤに適した電圧を供給する技術が開示されている。
【０００３】
【特許文献１】特開２００１−１４３８７９号公報
【発明の開示】
【発明が解決しようとする課題】
【０００４】
しかしながら、このような従来の技術では、電源回路の一部に異常が生じた場合に、全てのＬＥＤが消灯してしまう故障に至るまで電源回路の異常に気づかないおそれがあり、信号灯器としての機能を損なう可能性が高くなってしまうという問題点があった。
【０００５】
本発明は、このような従来の技術が有する問題点に着目してなされたもので、ＬＥＤを駆動する回路の一部に故障が生じた場合、回路の異常を検知することにより全てのＬＥＤが滅灯することを未然に防ぐことが可能なＬＥＤ式信号灯器を提供することを目的としている。
【課題を解決するための手段】
【０００６】
かかる目的を達成するための本発明の要旨とするところは、次の各項の発明に存する。
［１］  商用電源（Ｐ）を整流して信号用の灯光を発するＬＥＤ（１２）（発光ダイオード）に電力を供給するようにしたＬＥＤ式信号灯器（１０）であって、
商用電源（Ｐ）を整流する全波整流部（３０）と、少なくとも２以上の定電流部（４０ａ，４０ｂ）とを備え、
前記２以上の定電流部（４０ａ，４０ｂ）は、前記全波整流部（３０）の出力を受け、前記ＬＥＤ（１２）へ並列的に電力を供給するものであり、
前記２以上の定電流部（４０ａ，４０ｂ）の出力をアンド回路に接続し、各定電流部（４０ａ，４０ｂ）の出力を監視する警報手段（７０）に該アンド回路の出力を接続したことを特徴とするＬＥＤ式信号灯器（１０）。
【０００７】
［２］  商用電源（Ｐ）を整流して信号用の灯光を発するＬＥＤ（１２）（発光ダイオード）に電力を供給するようにしたＬＥＤ式信号灯器（１０）であって、
商用電源（Ｐ）を整流する全波整流部（３０）と、少なくとも２以上の定電流部（４０ａ，４０ｂ）とを備え、
前記２以上の定電流部（４０ａ，４０ｂ）は、前記全波整流部（３０）の出力を受け、前記ＬＥＤ（１２）へ並列的に電力を供給するものであり、
前記全波整流部（３０）の出力にアンド回路を構成する定電流部（４０ａ，４０ｂ）の動作を監視する複数のトランジスタを直列に警報手段（７０）と接続し、該複数のトランジスタの各ベースに前記２以上の定電流部（４０ａ，４０ｂ）の出力をそれぞれ接続したことを特徴とするＬＥＤ式信号灯器（１０）。
【０００８】
前記本発明は次のように作用する。  
本発明に係るＬＥＤ式信号灯器（１０）は、商用電源（Ｐ）を整流して信号用の灯光を発するＬＥＤ（１２）に電力を供給するものである。  
２以上の定電流部（４０ａ，４０ｂ）は、全波整流部（３０）の出力を受け、ＬＥＤ（１２）へ並列的に電力を供給する。この２以上の定電流部（４０ａ，４０ｂ）の出力はアンド回路で常時監視され、もし定電流部（４０ａ，４０ｂ）の一つでも断線したりして出力がなくなると、アンド回路に接続した警報手段（７０）は警報を発する。
【０００９】
より詳しくは、全波整流部（３０）の出力に直列に複数のトランジスタが連結されてアンド回路が構成されており、複数のトランジスタの各ベースに２以上の定電流部（４０ａ，４０ｂ）の出力をそれぞれ接続してあるので、定電流部（４０ａ，４０ｂ）のいずれかの出力がなくなるとアンド回路の出力がオフになる。
【００１０】
例えば、それまでアンド回路の出力により点灯していた警告灯が消え、異常を検知することができる。
【発明の効果】
【００１１】
本発明にかかるＬＥＤ式信号灯器によれば、２以上の定電流部を設けて、その出力をアンド回路で接続し、アンド回路の出力を警報手段に接続したので、ＬＥＤを駆動する回路の一部に故障が生じたような場合でも、回路の異常を未然に察知することができるため全てのＬＥＤが消灯する可能性がほとんどなくなる。
【発明を実施するための最良の形態】
【００１２】
以下、図面に基づき本発明の好適な一実施の形態を説明する。  
図１〜図３は本発明の一実施の形態を示している。  
ＬＥＤ式信号灯器１０の形態は図２および図３に示すとおりであり、商用電源Ｐを整流して信号用の灯光を発するＬＥＤに電力を供給するようにしたものである。ＬＥＤ式信号灯器１０は、通常は青、黄、赤の３組で構成され、それぞれの組は同様の構成をしており、ＬＥＤユニット１１が前面扉１５と筐体１７との間に収納されて成る。
【００１３】
ＬＥＤユニット１１は、ＬＥＤ１２と前面レンズ１４とを備えて成る。前面扉１５は、ＬＥＤユニット１１の前面レンズ１４を前方に開放する開口部１６を有し、フード１５ａが装着されており、ＬＥＤユニット１１の前面レンズ１４をこの開口部１６に通して、前面扉１５と筐体１７とがねじ止めされている。
【００１４】
ＬＥＤユニット１１には、駆動回路２０の基板２１が装着されており、駆動回路２０は、商用電源Ｐを整流して信号用の灯光を発するＬＥＤに電力を供給するものである。
図１でわかるように、駆動回路２０は、商用電源Ｐを整流する全波整流部３０と、定電流部４０ａ，４０ｂとＬＥＤ出力監視部５０を備えている。
【００１５】
全波整流部３０は、商用電源Ｐに、調整抵抗３１とコンデンサ３２とを介して全波整流素子３５が接続されて成る。全波整流素子３５の＋出力は負荷であるＬＥＤ１２の＋側に接続している。なお、図１では、ＬＥＤ１２を簡略化して１個であるように表示されているが、実際は多数のＬＥＤ１２が接続されており、ＬＥＤ１２は、複数を直列にした複数のユニットが並列に接続されている。
【００１６】
定電流部４０ａ，４０ｂは、それぞれ全波整流部３０の出力を受け、ＬＥＤ１２へ並列的に電力を供給するものである。定電流部４０ａ，４０ｂは、それぞれ、抵抗Ｒａ，Ｒｂを介してＬＥＤ１２と全波整流部３０の整流器の一極に接続されている。
【００１７】
全波整流部３０の出力に抵抗Ｒ１を介して複数のトランジスタＴＲａ，ＴＲｂが直列に接続され、トランジスタＴＲａ，ＴＲｂが直列に連結されているのでアンド回路が形成されている。トランジスタＴＲａ，ＴＲｂに直列に警報手段７０としてモニタＬＥＤが接続されている。複数のトランジスタＴＲａ，ＴＲｂの各ベースには、２つの定電流部４０ａ，４０ｂの出力がそれぞれ抵抗Ｒｃ，Ｒｄを介して接続されている。
【００１８】
次に作用を説明する。  
ＬＥＤ式信号灯器１０は、商用電源Ｐを整流して、信号用の灯光を発するＬＥＤ１２に電力を供給するものである。  
２つの定電流部４０ａ，４０ｂは、全波整流部３０の出力を受け、ＬＥＤ１２へ並列的に電力を供給する。この２つの定電流部４０ａ，４０ｂはトランジスタＴＲａ，ＴＲｂによるアンド回路で常時監視されている。
【００１９】
正常動作時は、トランジスタＴＲａ，ＴＲｂによるアンド回路はオンになっており、警報手段７０であるモニタＬＥＤは点灯して正常をあらわしている。
【００２０】
もし定電流部４０ａ，４０ｂの一つでも断線したりして出力がなくなると、トランジスタＴＲａ，ＴＲｂのいずれかがオフになり、アンド回路に接続した警報手段７０であるモニタＬＥＤが消灯して警報を発する。
【００２１】
つまり、全波整流部３０の出力に直列に複数のトランジスタＴＲａ，ＴＲｂが連結されたアンド回路が構成されており、複数のトランジスタＴＲａ，ＴＲｂの各ベースに２つの定電流部４０ａ，４０ｂの出力をそれぞれ接続してあるので、定電流部４０ａ，４０ｂのいずれかの出力がなくなるとアンド回路の出力がオフになり、それまでアンド回路の出力により点灯していた警報手段７０の警告灯であるモニタＬＥＤが消え、異常を検知することができる。
【００２２】
なお、警報手段としては、警告灯に限らず、音や振動、また監視センターなどに通報することも含まれる。
【図面の簡単な説明】
【００２３】
【図１】本発明の一実施の形態に係るＬＥＤ式信号灯器の駆動回路の概念回路図である。
【図２】本発明の一実施の形態に係るＬＥＤ式信号灯器を示す正面図である。
【図３】本発明の一実施の形態に係るＬＥＤ式信号灯器を示す分解側面図である。
【符号の説明】
【００２４】
Ｐ…商用電源
１０…ＬＥＤ式信号灯器
１１…ＬＥＤユニット
１２…ＬＥＤ
１４…前面レンズ
１５…前面扉
２０…駆動回路
３０…全波整流部
４０ａ，４０ｂ…定電流部
５０…ＬＥＤ出力監視部
７０…警報手段
【図１】
2005284690.tif 000003
【図２】
2005284690.tif 000004
【図３】
2005284690.tif 000005